(57)【要約】【課題】  インタネットカフェ内のＰＣにおいてビジネスユーザの外出先での自社サーバへのアクセス及び保存データの改版や参照の作業を容易に行わせることが可能なリモートデスクトップシステムを提供する。【解決手段】  インターネットカフェ端末２はユーザ端末１から申込まれたユーザ情報のデータ登録及びサーバソフトウェアの配布の指示をＡＳＰ３に対して行う。ＡＳＰ３は利用者データの登録を独自に持つサーバファームに対して行うとともに、サーバソフトウェアをユーザ端末１に配布する。ユーザ端末１はリモートデスクトップとして利用したいと考えているユーザ端末に対して配布されてきたサーバソフトウェアのインストールを行う。ユーザ端末１は開始時に、デスクトップ画面の送信を行い、インタネットカフェ端末２はユーザ端末１から受取った画面情報を自端末の画面に投影する。【選択図】      図１
2006350581.tif 000002
【特許請求の範囲】
【請求項１】
第１及び第２の端末装置と、前記第１及び第２の端末装置へのソフトウェアの配付を行うＡＳＰ（Ａｐｐｌｉｃａｔｉｏｎ  Ｓｅｒｖｉｃｅ  Ｐｒｏｖｉｄｅｒ）と、前記第２の端末装置を前記第１の端末装置が接続されたネットワークに接続するＩＳＰ（Ｉｎｔｅｒｎｅｔ  Ｓｅｒｖｉｃｅ  Ｐｒｏｖｉｄｅｒ）とからなるリモートデスクトップシステムであって、
前記ＡＳＰと前記ＩＳＰと前記第２の端末装置とを連携させ、
前記ＡＳＰから、前記第１の端末装置に対して前記第１の端末装置の画面に投影される画面情報をネットワーク経由で前記第２の端末装置に送信可能とする第１のソフトウェアを配付し、前記第２の端末装置に対して前記ネットワーク経由で受信した前記第１の端末装置からの画面情報を前記第２の端末装置の画面に投影可能とする第２のソフトウェアを配付することを特徴とするリモートデスクトップシステム。
【請求項２】
前記ＩＳＰは、前記第１のソフトウェアが動作する前記第１の端末装置と前記第２のソフトウェアが動作する前記第２の端末装置とを監視することを特徴とする請求項１記載のリモートデスクトップシステム。
【請求項３】
前記ＡＳＰは、前記第２の端末装置からの指示に応じて前記第１の端末装置の利用者データの登録と当該第１の端末装置への前記第１のソフトウェアの配付とを行うことを特徴とする請求項１または請求項２記載のリモートデスクトップシステム。
【請求項４】
前記第２のソフトウェアは、前記インタネットカフェ端末に接続されるデバイスの動作をシミュレートしてその情報を前記第１の端末装置へ送信し、前記第１の端末装置からの応答を受信して前記第２の端末装置の画面に投影することを特徴とする請求項１から請求項３のいずれか記載のリモートデスクトップシステム。
【請求項５】
前記第２の端末装置は、インタネットカフェ内に配設されるインタネットカフェ端末であることを特徴とする請求項１から請求項４のいずれか記載のリモートデスクトップシステム。
【請求項６】
ＡＳＰ（Ａｐｐｌｉｃａｔｉｏｎ  Ｓｅｒｖｉｃｅ  Ｐｒｏｖｉｄｅｒ）から配付されるソフトウェアを実行し、他の装置が接続するネットワークにＩＳＰ（Ｉｎｔｅｒｎｅｔ  Ｓｅｒｖｉｃｅ  Ｐｒｏｖｉｄｅｒ）を介して接続されると端末装置であって、
自端末と前記ＡＳＰと前記ＩＳＰとを連携させることで、前記ＡＳＰから配付される第１のソフトウェアを実行することで、前記ＡＳＰから前記他の装置に配付された第１のソフトウェアの実行によって前記ネットワーク経由で送られてくる前記他の装置の画面に投影される画面情報を自端末の画面に投影することを特徴とする端末装置。
【請求項７】
前記第１のソフトウェアが動作する自端末が、前記第２のソフトウェアが動作する前記他の装置とともに前記ＩＳＰにて監視されることを特徴とする請求項５記載の端末装置。
【請求項８】
自端末からの指示に応じて前記ＡＳＰが前記他の装置の利用者データの登録と当該他の装置への前記第２のソフトウェアの配付とを行うことを特徴とする請求項５または請求項６記載の端末装置。
【請求項９】
前記第１のソフトウェアは、自端末に接続されるデバイスの動作をシミュレートしてその情報を前記他の装置へ送信し、前記他の装置からの応答を受信して自端末の画面に投影することを特徴とする請求項５から請求項７のいずれか記載の端末装置。
【請求項１０】
インタネットカフェ内に配設されるインタネットカフェ端末であることを特徴とする請求項６から請求項９のいずれか記載の端末装置。
【請求項１１】
第１及び第２の端末装置と、前記第１及び第２の端末装置へのソフトウェアの配付を行うＡＳＰ（Ａｐｐｌｉｃａｔｉｏｎ  Ｓｅｒｖｉｃｅ  Ｐｒｏｖｉｄｅｒ）と、前記第２の端末装置を前記第１の端末装置が接続されたネットワークに接続するＩＳＰ（Ｉｎｔｅｒｎｅｔ  Ｓｅｒｖｉｃｅ  Ｐｒｏｖｉｄｅｒ）とからなるリモートデスクトップシステムに用いるリモートデスクトップ環境構築方法であって、
前記ＡＳＰと前記ＩＳＰと前記第２の端末装置とを連携させ、
前記ＡＳＰから、前記第１の端末装置に対して前記第１の端末装置の画面に投影される画面情報をネットワーク経由で前記第２の端末装置に送信可能とする第１のソフトウェアを配付し、前記第２の端末装置に対して前記ネットワーク経由で受信した前記第１の端末装置からの画面情報を前記第２の端末装置の画面に投影可能とする第２のソフトウェアを配付することを特徴とするリモートデスクトップ環境構築方法。
【請求項１２】
前記ＩＳＰは、前記第１のソフトウェアが動作するユーザ端末と前記第２のソフトウェアが動作するインタネットカフェ端末とを監視することを特徴とする請求項１１記載のリモートデスクトップ環境構築方法。
【請求項１３】
前記ＡＳＰは、前記インタネットカフェ端末からの指示に応じて前記ユーザ端末の利用者データの登録と当該ユーザ端末への前記第１のソフトウェアの配付とを行うことを特徴とする請求項１１または請求項１２記載のリモートデスクトップ環境構築方法。
【請求項１４】
前記第２のソフトウェアは、前記インタネットカフェ端末に接続されるデバイスの動作をシミュレートしてその情報を前記ユーザ端末へ送信し、前記ユーザ端末からの応答を受信して前記インタネットカフェ端末の画面に投影することを特徴とする請求項１１から請求項１３のいずれか記載のリモートデスクトップ環境構築方法。
【請求項１５】
前記第２の端末装置が、インタネットカフェ内に配設されるインタネットカフェ端末であることを特徴とする請求項１１から請求項１４のいずれか記載のリモートデスクトップ環境構築方法。
【請求項１６】
ＡＳＰ（Ａｐｐｌｉｃａｔｉｏｎ  Ｓｅｒｖｉｃｅ  Ｐｒｏｖｉｄｅｒ）から配付されるソフトウェアを実行し、他の装置が接続するネットワークにＩＳＰ（Ｉｎｔｅｒｎｅｔ  Ｓｅｒｖｉｃｅ  Ｐｒｏｖｉｄｅｒ）を介して接続されると端末装置に用いるリモートデスクトップ環境構築方法のプログラムであって、前記端末装置のコンピュータに、前記端末装置と前記ＡＳＰと前記ＩＳＰとを連携させる処理と、前記ＡＳＰから配付される第１のソフトウェアの実行にて前記ＡＳＰから前記他の装置に配付された第１のソフトウェアの実行によって前記ネットワーク経由で送られてくる前記他の装置の画面に投影される画面情報を前記端末装置の画面に投影する処理とを実行させるためのプログラム。
【発明の詳細な説明】
【技術分野】
【０００１】
本発明はリモートデスクトップシステム、端末装置及びそれらに用いるリモートデスクトップ環境構築方法並びにそのプログラムに関し、特にパーソナルコンピュータ端末を時間貸しするインタネットカフェ端末に関する。
【背景技術】
【０００２】
近年、飲食店等の施設内に、インタネットに接続可能なＰＣ（Ｐｅｒｓｏｎａｌ  Ｃｏｍｐｕｔｅｒ）を設置し、飲食を行いながらインタネットに接続して、Ｗｅｂサイトの閲覧や電子メール等の送受信を可能とするインタネットカフェ（いわゆる、ネットカフェ）が存在している（例えば、特許文献１参照）。
【０００３】
一方、ビジネスユーザは、モバイルＰＣやＰＨＳ（Ｐｅｒｓｏｎａｌ  Ｈａｎｄｙ−ｐｈｏｎｅ  Ｓｙｓｔｅｍ）等を持ち運び、外出先でダイアルアップやホットスポット等を利用することで、社外から自社のサーバにアクセスしたり、またはモバイルＰＣに保存しておいたデータを改版、参照している。
【０００４】
上記のインタネットカフェ内に設置されたＰＣでは、情報漏洩等のセキュリティ上の問題があるため、ビジネスユーザの作業がインタネットカフェ内のＰＣで行われることは少ない。つまり、平日におけるインタネットカフェ内のＰＣの使用者は学生等のユーザが主流となっており、ビジネスユーザが利用することはあまりない。
【０００５】
【特許文献１】特開２００４−１３３５８４号公報
【発明の開示】
【発明が解決しようとする課題】
【０００６】
上述した従来のインタネットカフェ内のＰＣでは、学生等の一般ユーザが対象であり、ビジネスユーザを取込むようなサービスは展開されていない。また、ビジネスユーザは、外出先でネットワークにつなぐことのできるホットスポットサービスやデータ通信サービスが利用可能になっているものの、外出先で作業を行うためにモバイルＰＣを持ち運ぶ必要があり、重量の問題や紛失時の情報漏洩等の問題を抱えている。
【０００７】
そこで、本発明の目的は上記の問題点を解消し、インタネットカフェ内のＰＣにおいてビジネスユーザの外出先での自社サーバへのアクセス及び保存データの改版や参照の作業を容易に行わせることができるリモートデスクトップシステム、端末装置及びそれらに用いるリモートデスクトップ環境構築方法並びにそのプログラムを提供することにある。
【課題を解決するための手段】
【０００８】
本発明によるリモートデスクトップシステムは、第１及び第２の端末装置と、前記第１及び第２の端末装置へのソフトウェアの配付を行うＡＳＰ（Ａｐｐｌｉｃａｔｉｏｎ  Ｓｅｒｖｉｃｅ  Ｐｒｏｖｉｄｅｒ）と、前記第２の端末装置を前記第１の端末装置が接続されたネットワークに接続するＩＳＰ（Ｉｎｔｅｒｎｅｔ  Ｓｅｒｖｉｃｅ  Ｐｒｏｖｉｄｅｒ）とからなるリモートデスクトップシステムであって、
前記ＡＳＰと前記ＩＳＰと前記第２の端末装置とを連携させ、
前記ＡＳＰから、前記第１の端末装置に対して前記第１の端末装置の画面に投影される画面情報をネットワーク経由で前記第２の端末装置に送信可能とする第１のソフトウェアを配付し、前記第２の端末装置に対して前記ネットワーク経由で受信した前記第１の端末装置からの画面情報を前記第２の端末装置の画面に投影可能とする第２のソフトウェアを配付している。
【０００９】
本発明による端末装置は、ＡＳＰ（Ａｐｐｌｉｃａｔｉｏｎ  Ｓｅｒｖｉｃｅ  Ｐｒｏｖｉｄｅｒ）から配付されるソフトウェアを実行し、他の装置が接続するネットワークにＩＳＰ（Ｉｎｔｅｒｎｅｔ  Ｓｅｒｖｉｃｅ  Ｐｒｏｖｉｄｅｒ）を介して接続されると端末装置であって、
自端末と前記ＡＳＰと前記ＩＳＰとを連携させることで、前記ＡＳＰから配付される第１のソフトウェアを実行することで、前記ＡＳＰから前記他の装置に配付された第１のソフトウェアの実行によって前記ネットワーク経由で送られてくる前記他の装置の画面に投影される画面情報を自端末の画面に投影している。
【００１０】
本発明によるリモートデスクトップ環境構築方法は、第１及び第２の端末装置と、前記第１及び第２の端末装置へのソフトウェアの配付を行うＡＳＰ（Ａｐｐｌｉｃａｔｉｏｎ  Ｓｅｒｖｉｃｅ  Ｐｒｏｖｉｄｅｒ）と、前記第２の端末装置を前記第１の端末装置が接続されたネットワークに接続するＩＳＰ（Ｉｎｔｅｒｎｅｔ  Ｓｅｒｖｉｃｅ  Ｐｒｏｖｉｄｅｒ）とからなるリモートデスクトップシステムに用いるリモートデスクトップ環境構築方法であって、
前記ＡＳＰと前記ＩＳＰと前記第２の端末装置とを連携させ、
前記ＡＳＰから、前記第１の端末装置に対して前記第１の端末装置の画面に投影される画面情報をネットワーク経由で前記第２の端末装置に送信可能とする第１のソフトウェアを配付し、前記第２の端末装置に対して前記ネットワーク経由で受信した前記第１の端末装置からの画面情報を前記第２の端末装置の画面に投影可能とする第２のソフトウェアを配付している。
【００１１】
本発明によるリモートデスクトップ環境構築方法のプログラムは、ＡＳＰ（Ａｐｐｌｉｃａｔｉｏｎ  Ｓｅｒｖｉｃｅ  Ｐｒｏｖｉｄｅｒ）から配付されるソフトウェアを実行し、他の装置が接続するネットワークにＩＳＰ（Ｉｎｔｅｒｎｅｔ  Ｓｅｒｖｉｃｅ  Ｐｒｏｖｉｄｅｒ）を介して接続されると端末装置に用いるリモートデスクトップ環境構築方法のプログラムであって、前記端末装置のコンピュータに、前記端末装置と前記ＡＳＰと前記ＩＳＰとを連携させる処理と、前記ＡＳＰから配付される第１のソフトウェアの実行にて前記ＡＳＰから前記他の装置に配付された第１のソフトウェアの実行によって前記ネットワーク経由で送られてくる前記他の装置の画面に投影される画面情報を前記端末装置の画面に投影する処理とを実行させている。
【００１２】
すなわち、本発明のリモートデスクトップシステムは、ＡＳＰ（Ａｐｐｌｉｃａｔｉｏｎ  Ｓｅｒｖｉｃｅ  Ｐｒｏｖｉｄｅｒ）と、ＩＳＰ（Ｉｎｔｅｒｎｅｔ  Ｓｅｒｖｉｃｅ  Ｐｒｏｖｉｄｅｒ）と、インタネットカフェ内のＰＣ（Ｐｅｒｓｏｎａｌ  Ｃｏｍｐｕｔｅｒ）とを連携させることで、インタネットカフェ内のＰＣに会社のＰＣのデスクトップ画面を投影することで、モバイルＰＣを持ち歩くことなく、インタネットカフェ内のＰＣにおいてビジネスユーザの外出先での自社サーバへのアクセス及び保存データの改版や参照の作業を容易に行うことを可能となる。
【００１３】
本発明のリモートデスクトップシステムでは、ＡＳＰとＩＳＰとインタネットカフェ内のＰＣとを連携させ、会社のＰＣに、自端末の画面に投影される画面情報をネットワーク経由で他の端末に送信可能とするソフトウェアを配付し、インタネットカフェ内ＰＣ等に、ネットワーク経由で受信した画面情報を自端末の画面に投影可能とするソフトウェアを配付し、ビジネスユーザの外出先での自社サーバへのアクセス及び保存データの改版や参照の作業を容易としている。
【００１４】
また、本発明のリモートデスクトップシステムでは、会社のＰＣやインタネットカフェ内のＰＣに対してＡＳＰから上記のソフトウェアを配布し、ＩＳＰにてセキュリティを保つための第三者からのチェックを行うことで、インタネットを介した通信を可能としているため、インタネットカフェ内のＰＣにおいてセキュリティを保つことを可能としている。
【００１５】
これによって、本発明のリモートデスクトップシステムでは、個人情報や機密情報等の漏洩を防止するとともに、比較的容易にインタネットカフェ事業者との協業を可能としている。よって、本発明のリモートデスクトップシステムでは、ビジネスユーザにおけるインタネットカフェ内のＰＣの利用機会を大幅に増加させることが可能となる。
【発明の効果】
【００１６】
本発明は、以下に述べるような構成及び動作とすることで、インタネットカフェ内のＰＣにおいてビジネスユーザの外出先での自社サーバへのアクセス及び保存データの改版や参照の作業を容易に行わせることができるという効果が得られる。
【発明を実施するための最良の形態】
【００１７】
次に、本発明の実施例について図面を参照して説明する。図１は本発明の一実施例によるリモートデスクトップシステムの構成を示すブロック図である。図１において、本発明の一実施例によるリモートデスクトップシステムは、ユーザ端末１と、インタネットカフェ端末２と、ＡＳＰ（Ａｐｐｌｉｃａｔｉｏｎ  Ｓｅｒｖｉｃｅ  Ｐｒｏｖｉｄｅｒ）３と、ＩＳＰ（Ｉｎｔｅｒｎｅｔ  Ｓｅｒｖｉｃｅ  Ｐｒｏｖｉｄｅｒ）４とから構成されている。
【００１８】
ユーザ端末１はインタネット等のネットワーク１００に接続可能なＰＣ（Ｐｅｒｓｏｎａｌ  Ｃｏｍｐｕｔｅｒ）であり、インタネットカフェ端末２はＩＳＰ４を介してネットワーク１００に接続なＰＣである。ＡＳＰ３はユーザ端末１やインタネットカフェ端末２へのソフトウェアの配布、サーバファームの提供等を行うサーバ装置である。ＩＳＰ４はユーザ端末１やインタネットカフェ端末２を監視し、不正アクセスやネットワークチェック機構を担うサーバ装置である。
【００１９】
ユーザ端末１は別のＰＣ（図示せず）が投影する画面情報をネットワーク経由で送信することが可能なソフトウェアを実装しているＰＣであり、インタネットカフェ端末２にネットワーク１００経由で画面情報を送信することができる。このソフトウェアはＡＳＰ３から配布される。尚、初期登録情報としては、インタネットカフェ端末２のＩＰｖ４（Ｉｎｔｅｒｎｅｔ  Ｐｒｏｔｏｃｏｌ  ｖｅｒｓｉｏｎ  ４）アドレスがある。
【００２０】
インタネットカフェ端末２はインタネットカフェ内に配備されているＰＣであり、ネットワーク１００経由で受信した画面情報を画面に投影することが可能なソフトウェアがＡＳＰ３から配布されてインストールされている。このソフトウェアはインタネットカフェ端末２のキーボードやマウス等のデバイスの動作をシミュレートし、その情報をユーザ端末１へ送信し、ユーザ端末１からのレスポンスを受信して画面に投影する。このソフトウェアの一連の動作を以下、リモートデスクトップとする。
【００２１】
ＡＳＰ３はユーザ端末１やインタネットカフェ端末２にインストールするソフトウェアを一括管理し、ユーザ端末１やインタネットカフェ端末２に上記のソフトウェアを配布するとともに、ユーザ情報の管理を行う。また、ＩＳＰ４はインタネットカフェ端末２のネットワーク１００への接続を制御するとともに、ネットワーク１００経由の不正アクセスを防止するサービスの提供を行う。
【００２２】
図２は図１のユーザ端末１の構成を示すブロック図である。図２において、ユーザ端末１は各種処理（ＡＳＰ３から配付されるソフトウェアの実行処理を含む）を実行するＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用する記憶装置１３と、ネットワーク１００との通信を制御する通信制御部１４とから構成されている。尚、ＣＰＵ１１、メインメモリ１２、記憶装置１３、通信制御部１４はそれぞれ内部バス１１０を介して相互に接続されている。
【００２３】
記憶装置１３はＡＳＰ３から配付されるソフトウェアを保持する配付ソフトウェア保持部１３１と、別のＰＣが投影する画面情報を保持する画面情報保持部１３２とを含んで構成されている。
【００２４】
図３は図１のインタネットカフェ端末２の構成を示すブロック図である。図３において、インタネットカフェ端末２は各種処理（ＡＳＰ３から配付されるソフトウェアの実行処理を含む）を実行するＣＰＵ２１と、ＣＰＵ２１が実行する制御プログラム２２ａを格納するメインメモリ２２と、ＣＰＵ２１が制御プログラム２２ａを実行する際に作業領域として使用する記憶装置２３と、ＩＳＰ４との通信を制御する通信制御部２４とから構成されている。尚、ＣＰＵ２１、メインメモリ２２、記憶装置２３、通信制御部２４はそれぞれ内部バス２１０を介して相互に接続されている。
【００２５】
記憶装置２３はＡＳＰ３から配付されるソフトウェアを保持する配付ソフトウェア保持部２３１と、ユーザ端末１からネットワーク１００経由で送られてくる画面情報を保持する画面情報保持部２３２とを含んで構成されている。
【００２６】
図４及び図５は本発明の一実施例によるリモートデスクトップシステムの動作を示すシーケンスチャートであり、図６は図１のユーザ端末１の初期設定画面を示す図である。これら図１〜図６を参照して本発明の一実施例によるリモートデスクトップシステムの動作について説明する。尚、図４及び図５に示すユーザ端末１及びインタネットカフェ端末２の動作はＣＰＵ１１，２１が制御プログラム１２ａ，２２ａや配付ソフトウェア保持部１３１，２３１に保持された配付ソフトウェアを実行することで実現される。
【００２７】
ユーザ端末１では、事前にインタネットカフェ端末２［あるいはインタネットカフェのサーバ装置（図示せず）］に対してサービスの申込みを行っておく（図４のａ１参照）。
【００２８】
インタネットカフェ端末２はユーザ端末１から申込まれたユーザ情報のデータ登録及びサーバソフトウェアの配布の指示をＡＳＰ３に対して行う（図４のａ２参照）。ＡＳＰ３は利用者データの登録を独自に持つサーバファームに対して行うとともに、サーバソフトウェアをユーザ端末１に配布する（図４のａ３参照）。
【００２９】
ユーザ端末１は申込み完了通知の内容が確認されると（図４のａ４参照）、ユーザがリモートデスクトップとして利用したいと考えているユーザ端末（この場合には同じ端末とする）に対して配布されてきたサーバソフトウェアのインストールを行い、そのインストールを行う際に初期設定画面に対して（図６参照）、ＩＰ（Ｉｎｔｅｒｎｅｔ  Ｐｒｏｔｏｃｏｌ）アドレス、認証パスワード等の必要な情報を登録する（図４のａ５参照）。
【００３０】
インタネットカフェ端末２はユーザ端末１に対してサービス申込み時に登録された情報によるテスト通信を行い（図４のａ６参照）、テスト画面の通信が行われたことが確認できた時点で初期設定が終了となる。
【００３１】
ユーザは外出先のインタネットカフェにおいて、インタネットカフェ端末２を利用し、初期設定済みのユーザ端末１にネットワーク１００を経由してアクセスし、リモートデスクトップセッションの開始を通知する（図５のｂ１参照）。
【００３２】
ユーザ端末１はリモートデスクトップセッション開始の承認を行うとともに、デスクトップ画面（画面情報）の送信を行うためのリモートデスクトップセッション開始をインタネットカフェ端末２に通知する（図５のｂ２参照）。インタネットカフェ端末２はユーザ端末１にリモートデスクトップセッションの開始承認を通知することで、ユーザ端末１との相互通信を開始する（図５のｂ３参照）。
【００３３】
この相互通信においては、インタネットカフェ端末２がユーザ端末１から送られてくる画面情報を受取り、自端末の画面に画像を投影する。ユーザはインタネットカフェ端末２の画面に投影された情報に対して視覚的に判断し、マウスやキーボードを操作することができる。
【００３４】
マウスやキーボードによる処理情報はインタネットカフェ端末２からネットワーク１００を介してユーザ端末１に送られ、受信した処理情報を基にユーザ端末１内部で処理を行い（図５のｂ５参照）、出力された画像情報の送信を開始する。この動作をユーザがサービスを受け続ける間、継続する。サービスを継続している間、これらの通信は暗号化される必要がある。
【００３５】
ＩＳＰ４は基本的に、インタネットカフェ端末２がネットワーク１００に接続するための業務を行うが、リモートデスクトップ端末（ユーザ端末１及びインタネットカフェ端末２）の監視サービスも行う（図５のｂ６参照）。
【００３６】
ユーザがサービスを終了したい場合、インタネットカフェ端末２からユーザ端末１にリモートデスクトップセッションの終了通知を送信する（図５のｂ７参照）。ユーザ端末１はリモートデスクトップセッションの終了の指示を受取ると、リモートデスクトップセッションを終了し、インタネットカフェ端末２に対してリモートデスクトップセッションの終了通知を行う（図５のｂ８参照）。インタネットカフェ端末２はリモートデスクトップセッションの終了通知を受取ると、リモートデスクトップセッションを終了する（図５のｂ９参照）。
【００３７】
このように、本実施例では、インタネットカフェ内のＰＣにおいてビジネスユーザの外出先での自社サーバへのアクセス及び保存データの改版や参照の作業を容易に行わせることができる。
【００３８】
また、本実施例では、外出先で配置されている端末から常に社内情報を引き出し、作成するという利便性を備えているため、インタネットカフェ市場にビジネスユーザを取込めるという効果が得られる。
【００３９】
さらに、本実施例では、ビジネスユーザが機密情報を備えたモバイルＰＣを持ち運ぶ必要性が少なくなり、情報漏えい事件が発生した場合、会社の信用失墜に繋がるため、セキュリティ面における効果を図ることができる。
【産業上の利用可能性】
【００４０】
本発明は、インタネットカフェ事業者やホットスポット事業者等への提供が考えられる。また、本発明は、アプリケーションの配布、ネットワークの管理やセキュリティを保つためのシステム監視サービス等を行う場合、ＡＳＰ／ＩＳＰとの連携を行うことで、アライアンスをより幅広い分野に適用することができるため、より大きなビジネスに発展させることが考えられる。
【図面の簡単な説明】
【００４１】
【図１】本発明の一実施例によるリモートデスクトップシステムの構成を示すブロック図である。
【図２】図１のユーザ端末の構成を示すブロック図である。
【図３】図１のインタネットカフェ端末の構成を示すブロック図である。
【図４】本発明の一実施例によるリモートデスクトップシステムの動作を示すシーケンスチャートである。
【図５】本発明の一実施例によるリモートデスクトップシステムの動作を示すシーケンスチャートである。
【図６】図１のユーザ端末の初期設定画面を示す図である。
【符号の説明】
【００４２】
１  ユーザ端末
２  インタネットカフェ端末
３  ＡＳＰ
４  ＩＳＰ
１１，２１  ＣＰＵ
１２，２２  メインメモリ
１２ａ，２２ａ  制御プログラム
１３，２３  記憶装置
１４，２４  通信制御部
１００  ネットワーク
１１０，２１０  内部バス
１３１，２３１  配付ソフトウェア保持部
１３２，２３２  画面情報保持部
【図１】
2006350581.tif 000003
【図２】
2006350581.tif 000004
【図３】
2006350581.tif 000005
【図４】
2006350581.tif 000006
【図５】
2006350581.tif 000007
【図６】
2006350581.tif 000008